(57)【要約】  画面を備えた携帯電子機器を載置可能な基台部と、画面を拡大できるよう基台部の上方に支持された画面拡大手段（例えば樹脂レンズ）と、基台部に対して画面拡大手段を支持する支持手段とを備え、基台部と画面拡大手段との間に携帯電子機器を収納可能とした収納ケースである。支持手段は、基台部から略垂直に起立する支柱本体部と、画面拡大手段から略垂直に立ち下がる支持脚部と、支柱本体部に装着可能な第一嵌合部及び支持脚部に装着可能な第二嵌合部を有する中間部材とを含み、この中間部材を支柱本体部と支持脚部との間に介在させることにより基台部と画面拡大手段との距離を変更可能とした。支持手段を伸縮自在としても良い。【特許請求の範囲】
【請求項１】
表示画面を備えた携帯電子機器を載置可能な基台部と、
前記表示画面を拡大できるよう前記基台部の上方に支持された画面拡大手段と、
前記基台部に対して前記画面拡大手段を支持する支持手段と、
を備え、
前記基台部と前記画面拡大手段との間に前記携帯電子機器を収納可能とした
ことを特徴とする携帯電子機器収納ケース。
【請求項２】
前記支持手段は、前記基台部の一側部に起立して前記画面拡大手段を片持ち梁状に支持し、かつ、前記基台部と前記画面拡大手段との距離を変更可能に前記画面拡大手段を支持する
ことを特徴とする請求項１に記載の携帯電子機器収納ケース。
【請求項３】
前記支持手段を、前記基台部の周面に固定した
ことを特徴とする請求項２に記載の携帯電子機器収納ケース。
【請求項４】
前記支持手段は、
前記基台部から略垂直に起立するように前記基台部に固定された支柱本体部と、
前記画面拡大手段から略垂直に立ち下がるように前記画面拡大手段に固定されかつ前記支柱本体部に対し上下動可能に係合される支持脚部と、
を有することを特徴とする請求項２または３に記載の携帯電子機器収納ケース。
【請求項５】
前記支柱本体部は、当該支柱本体部に装着可能な嵌合部を有しかつ上面側から前記支持脚部を上下動可能に支持可能な延長部材を装着可能とされており、
この延長部材を装着することにより、前記基台部上面と前記画面拡大手段との距離を延長可能とされている
ことを特徴とする請求項４に記載の携帯電子機器収納ケース。
【請求項６】
弾性を有しかつ前記支柱本体部と前記支持脚部とを係合させたときに当該支柱本体部と支持脚部との係合面に介在されて押し潰される小突起を、前記支柱本体部と前記支持脚部のいずれか一方または双方に、前記支持脚部の上下動方向に亘って複数設けた
ことを特徴とする請求項４または５に記載の携帯電子機器収納ケース。
【請求項７】
前記支持手段は、
前記基台部から略垂直に起立するように前記基台部に固定された支柱本体部と、
前記画面拡大手段から略垂直に立ち下がるように前記画面拡大手段に固定される支持脚部と、
前記支柱本体部に装着可能な第一嵌合部および前記支持脚部に装着可能な第二嵌合部を有する中間部材と、
を含み、
前記中間部材を前記支柱本体部と前記支持脚部との間に介在させることにより前記基台部と前記画面拡大手段との距離を変更可能とした
ことを特徴とする請求項２または３に記載の携帯電子機器収納ケース。
【請求項８】
前記携帯電子機器に対しデータを伝送する伝送媒体が通過可能な切欠部または貫通孔を前記支柱本体部に設けた
ことを特徴とする請求項４から７のいずれか一項に記載の携帯電子機器収納ケース。
【請求項９】
前記支柱本体部、支持脚部、延長部材および中間部材のうちの少なくともいずれか１つに広告記載を配した
ことを特徴とする請求項４から８のいずれか一項に記載の携帯電子機器収納ケース。
【請求項１０】
前記画面拡大手段は、平板状の樹脂製レンズを含む
ことを特徴とする請求項１から９のいずれか一項に記載の携帯電子機器収納ケース。
【請求項１１】
前記画面拡大手段は、透光性を有する樹脂板を含み、
前記樹脂製レンズは、該樹脂板に貼り付けられている
ことを特徴とする請求項１０に記載の携帯電子機器収納ケース。
【請求項１２】
前記樹脂製レンズを、前記樹脂板の下面に配した
ことを特徴とする請求項１１に記載の携帯電子機器収納ケース。
【請求項１３】
前記画面拡大手段は、
２枚以上の平板状の樹脂製レンズと、
１枚以上の透光性を有する樹脂板と、
を含み、
該樹脂板の上面と下面とに前記樹脂製レンズを貼り付けた
ことを特徴とする請求項１から９のいずれか一項に記載の携帯電子機器収納ケース。
【請求項１４】
前記画面拡大手段は、上面が凸面で下面が略平面であるレンズを含む
ことを特徴とする請求項１から９のいずれか一項に記載の携帯電子機器収納ケース。
【請求項１５】
前記画面拡大手段は、前記表示画面を拡大するレンズと、当該レンズを支持するフレームとを備える
ことを特徴とする請求項１４に記載の携帯電子機器収納ケース。
【請求項１６】
前記レンズと前記フレームとが樹脂により一体成形されている
ことを特徴とする請求項１５に記載の携帯電子機器収納ケース。
【請求項１７】
前記画面拡大手段は、前記表示画面を拡大するレンズと、当該レンズを支持するフレームとを備え、
前記レンズは、上面および下面が共に凸面であり、かつ当該レンズが前記フレームの下面から下方へ突出しないように前記フレームに支持されている
ことを特徴とする請求項１から９のいずれか一項に記載の携帯電子機器収納ケース。
【請求項１８】
前記レンズの周面の少なくとも一部を略垂直に起立する平面とした
ことを特徴とする請求項１４から１７のいずれか一項に記載の携帯電子機器収納ケース。
【請求項１９】
前記レンズの周面の少なくとも一部を略垂直に起立する平面とし、
この略垂直に起立する平面は、前記フレームの上面より上方に位置している
ことを特徴とする請求項１５から１７のいずれか一項に記載の携帯電子機器収納ケース。
【請求項２０】
前記基台部と前記画面拡大手段とが略同一の平面形状を有する
ことを特徴とする請求項１から１９のいずれか一項に記載の携帯電子機器収納ケース。
【請求項２１】
少なくとも基台部上面に平行な方向への前記携帯電子機器の移動を規制する係止手段を前記基台部の上面部に設けた
ことを特徴とする請求項１から２０のいずれか一項に記載の携帯電子機器収納ケース。
【請求項２２】
前記係止手段は、前記携帯電子機器の四隅部をそれぞれ保持する４個のストッパ片を含む
ことを特徴とする請求項１から２１のいずれか一項に記載の携帯電子機器収納ケース。
【請求項２３】
前記係止手段は、前記携帯電子機器の対向する一対の側面をそれぞれ保持する２個のストッパ片を含む
ことを特徴とする請求項１から２１のいずれか一項に記載の携帯電子機器収納ケース。
【請求項２４】
前記ストッパ片は、前記基台部に対し着脱自在に設けられ、かつ基台部上面において設置位置を変更可能になされており、
これにより大きさの異なる複数種類の携帯電子機器を前記基台部の上面に収容可能とした
ことを特徴とする請求項２２または２３に記載の携帯電子機器収納ケース。
【請求項２５】
前記ストッパ片は、その下面部に、前記基台部上面に対し該ストッパ片を設置可能とする支持脚を有し、
前記基台部の上面には、該ストッパ片の支持脚を嵌挿可能な嵌合穴が設けられ、
前記嵌合穴として、
第一の携帯電子機器を係止できるよう該第一の携帯電子機器の外形寸法に対応した位置に形成された一群の嵌合穴と、
前記第一の携帯電子機器と大きさの異なる第二の携帯電子機器を係止できるよう該第二の携帯電子機器の外形寸法に対応した位置に形成された一群の嵌合穴と、
を備えることを特徴とする請求項２４に記載の携帯電子機器収納ケース。
【請求項２６】
前記第一の携帯電子機器の外形寸法に対応した位置に形成された一群の嵌合穴の内壁を、第一の色彩を有するものとし、
前記第二の携帯電子機器の外形寸法に対応した位置に形成された一群の嵌合穴の内壁を、前記第一の色彩とは異なる第二の色彩を有するものとした
ことを特徴とする請求項２５に記載の携帯電子機器収納ケース。
【請求項２７】
前記ストッパ片として、
前記第一の色彩が施された一群のストッパ片と、
前記第二の色彩が施された一群のストッパ片と、
を備えることを特徴とする請求項２６に記載の携帯電子機器収納ケース。
【請求項２８】
前記基台部の上面に載置される前記携帯電子機器の横滑りを防止する樹脂製の滑り止めを前記基台部の上面に配した
ことを特徴とする請求項１から２７のいずれか一項に記載の携帯電子機器収納ケース。
【請求項２９】
前記基台部下面の左右方向に関する略中央部に、当該携帯電子機器収納ケースを立て掛けるスタンドと係合可能な凹部を形成した
ことを特徴とする請求項１から２８のいずれか一項に記載の携帯電子機器収納ケース。
【請求項３０】
前記基台部は、前記延長部材または前記中間部材を収納可能な収納部を有する
ことを特徴とする請求項５または７に記載の携帯電子機器収納ケース。
【請求項３１】
前記基台部は、前記携帯電子機器で使用される付属品を収納可能な収納部を有する
ことを特徴とする請求項１から３０のいずれか一項に記載の携帯電子機器収納ケース。
【請求項３２】
前記基台部は、前記携帯電子機器から伝送される音声信号を入力可能なスピーカを備える
ことを特徴とする請求項１から３１のいずれか一項に記載の携帯電子機器収納ケース。
【発明の詳細な説明】
【技術分野】
【０００１】
本発明は、携帯電子機器収納ケースに係り、特に、携帯ゲーム機のようなディスプレイを備えた電子機器を持ち運ぶときにこれを収容するとともに、該機器を使用するときに当該ケースをそのまま使用して画面を拡大することを可能とする器具に関する。
【背景技術】
【０００２】
近年、携帯ゲーム機や、動画・静止画を再生する画像再生装置、ＰＤＡ、電子手帳などディスプレイを備えた各種の携帯電子機器が提供されており、場所や時を選ばず様々なコンテンツを楽しむことを可能としている。
【発明の開示】
【０００３】
ところで、携帯型の電子機器は、携帯性を高めるため小型化すれば、自ずと画面は小さくならざるを得ず、例えば文字を読む場合には小さくなって読み難く、画像を鑑賞する場合には迫力に欠ける場合がある。このため、このような携帯機器に装着してその画面を拡大することを可能とする補助器具の提案がなされている（例えば実用新案登録第２５２５６９９号公報，特許第３５４５７１９号公報）。
【０００４】
ところが、これら従来の補助器具では、画面の拡大率が十分でなく画像の迫力に欠けるうえ、携帯機器（例えばゲーム機）を操作する場合に当該補助器具の装着安定性や携帯機器自体の操作性が十分良好であるとは言えず、改良の余地を残している。
【０００５】
また、かかる携帯電子機器を持ち運ぶ場合にこれを収納して保護するケースが提供されることがあるが、このようなケースは電子機器を使用するときには当然のように不要となり、邪魔にさえなる。
【０００６】
したがって、本発明の目的は、携帯電子機器を持ち運ぶときにこれを収納するとともに、当該電子機器を使用するときにはそのまま収納ケースを利用して大きな画面映像を良好な安定性と操作性を保持しつつ楽しむことを可能とする点にある。
【０００７】
上記課題を解決し目的を達成するため、本発明に係る携帯電子機器収納ケースは、表示画面を備えた携帯電子機器を載置可能な基台部と、前記表示画面を拡大できるよう前記基台部の上方に支持された画面拡大手段と、前記基台部に対して前記画面拡大手段を支持する支持手段とを備え、前記基台部と前記画面拡大手段との間に前記携帯電子機器を収納可能とした。
【０００８】
本発明に係る携帯電子機器収納ケースでは、携帯電子機器を前記基台部に載置し、該基台部と画面拡大手段との間に当該電子機器を収容することによりこれを持ち運ぶことが出来るとともに、電子機器を使用するにあたっては、基台部への載置状態でそのまま画面拡大手段によって拡大された画面を見て、当該機器を使用することが可能となる。
【０００９】
上記携帯電子機器としては、例えば携帯ゲーム機が挙げられるが、これに限定されるものではなく、携帯電話機、動画・静止画を再生可能な各種の画像再生装置、ＰＤＡ、電子手帳その他、ディスプレイを備えた各種の携帯電子機器が含まれる。
【００１０】
上記支持手段は、基台部の一側部に起立して画面拡大手段を片持ち梁状に支持し、かつ基台部に対する画面拡大手段の支持距離を変更できるように構成することが望ましい。
【００１１】
ゲーム機を含む各種の電子機器では、機器表面に様々な操作ボタンを備えることが多いが、上記のように支持手段が基台部の一側部に起立して画面拡大手段を片持ち梁状に支持する構造とすれば、収納ケースがかかる操作ボタンの操作を邪魔し、機器の操作性を低下させることを防ぐことができ、当該電子機器単体（電子機器をケースに収納したり、何らかの補助器具等を装着することのない裸の状態）と略同レベルの操作性を確保することが可能となる。また、収納される電子機器は基台部に載せられて安定して支持されるから、当該電子機器の操作性も良好である。
【００１２】
さらに、基台部に対する画面拡大手段の支持距離を変更可能とすることで、電子機器の収納時にはケース全体を薄くして携帯性を良好することができ、一方、電子機器の使用時には基台部と画面拡大手段との距離を大きくして大きく拡大された画面を楽しむことが出来る。
【００１３】
さらに上記支持手段を、基台部の周面（例えば背面や側面等）に固定することがある。このようにすれば、当該収納ケースの全体の厚さ寸法を小さく抑えて薄くすることが出来る一方、電子機器の使用時には基台部と画面拡大手段との距離を大きくして画面を拡大することが可能となる。特に、後に述べるように基台部に収納部を形成する場合には、基台部の厚さ寸法（したがって収納ケースの全体厚）がその分大きくなりやすいから、上記のように基台部周面に支持手段を固定する構造とすることが、収納ケースを薄くする観点から好ましい。
【００１４】
前記支持手段は、前記基台部から略垂直に起立するように前記基台部に固定された支柱本体部と、前記画面拡大手段から略垂直に立ち下がるように前記画面拡大手段に固定されかつ前記支柱本体部に対し上下動可能に係合される支持脚部とを有することがある。
【００１５】
このような収納ケースでは、上記支柱本体部に対し支持脚部を相対的に移動させる（例えば引き出て伸ばす）ことにより、収納した電子機器の画面を大きく拡大することが出来る一方、支柱本体部に対し支持脚部を相対的に移動させる（例えば押し入れて縮める）ことにより、収納ケース全体を薄くして電子機器を持ち運ぶことが可能となる。
【００１６】
前記支柱本体部は、当該支柱本体部に装着可能な嵌合部を有しかつ上面側から前記支持脚部を上下動可能に支持可能な延長部材を装着可能とされ、この延長部材を装着することにより、前記基台部上面と前記画面拡大手段との距離を延長可能とされている場合がある。
【００１７】
このように延長部材を装着できるようにすれば、電子機器の画面と画面拡大手段との距離をより大きくとることが出来るから、画面をより大きく拡大することが可能となる。尚、上記延長部材は、上下方向に２個以上繋げて装着できるようにしても良く、このような構成によれば、画面の拡大率をより一層向上させることが出来る。
【００１８】
また、支持手段として支柱本体部と支持脚部とを含む上記収納ケースでは、弾性を有しかつ前記支柱本体部と前記支持脚部とを係合させたときに当該支柱本体部と支持脚部との係合面に介在されて押し潰される小突起を、前記支柱本体部と前記支持脚部のいずれか一方または双方に、前記支持脚部の上下動方向に亘って複数設ける場合がある。
【００１９】
このようなケース構造によれば、支柱本体部から支持脚部を引いて所望量引き伸ばした位置で支持脚部を良好に停止させ、画面拡大手段を所望の高さ位置に、より確実に支持することが可能となる。したがって、電子機器の使用中に画面拡大手段が使用者の意に反して下がってしまったり、携帯中に不用意に支持脚部が飛び出すようなことを防ぐことが出来る。
【００２０】
一方、前記支持手段は、前記基台部から略垂直に起立するように前記基台部に固定された支柱本体部と、前記画面拡大手段から略垂直に立ち下がるように前記画面拡大手段に固定される支持脚部と、前記支柱本体部に装着可能な第一嵌合部および前記支持脚部に装着可能な第二嵌合部を有する中間部材とを含み、前記中間部材を前記支柱本体部と前記支持脚部との間に介在させることにより前記基台部と前記画面拡大手段との距離を変更可能としても良い。
【００２１】
このような構成によっても上述した支持手段の構造と同様に、収納時にケース全体を薄くする一方、電子機器使用時には画面を大きく拡大することが可能となる。
【００２２】
さらに、上記前記支柱本体部には、電子機器に対しデータを伝送する伝送媒体が通過可能な切欠部または貫通孔を設けても良い。
【００２３】
携帯電子機器には、赤外線や電気信号などの各種のデータ伝送媒体の入出力を可能とするポート（例えば赤外線ポートやＵＳＢポート）が設けられることが多いが、上記切欠部または貫通孔を通じてこれらポートへのアクセスを可能とするためである。
【００２４】
さらに、前記支柱本体部、支持脚部、延長部材および中間部材のうちの少なくともいずれか１つに広告記載を配しても良い。広告記載とは、宣伝広告に関連した各種の記載を言い、例えば商標や商品名、社名、メッセージなどを表す文字や記号、図形、マーク、画像などを含む。
【００２５】
前記画面拡大手段は、平板状の樹脂製レンズを含むことがある。
【００２６】
また、前記画面拡大手段は、透光性を有する樹脂板を含み、前記樹脂製レンズは、該樹脂板に貼り付けられていることがある。
【００２７】
このように樹脂製レンズを樹脂板に貼り付けて支持する構造とすれば、樹脂製レンズが薄い場合であっても、その撓みを防止し、より鮮明な拡大画像を得ることが出来る。さらに、樹脂製レンズを樹脂板の下面に配置すれば、携帯中に樹脂製レンズが傷つくことを防ぐことが出来る。
【００２８】
また、前記画面拡大手段は、２枚以上の平板状の樹脂製レンズと、１枚以上の透光性を有する樹脂板とを含み、該樹脂板の上面と下面とに前記樹脂製レンズを貼り付けても良く、このような構成によれば、画面の拡大率をより大きくすることが出来る。
【００２９】
前記画面拡大手段が、上面が凸面で下面が略平面であるレンズを含むようにしても良い。これによれば、より大きな画面拡大率を得ることが出来るとともに、画面拡大手段の下面が平坦であるから、収納時に画面拡大手段を基台部（電子機器）に近接させてコンパクトに電子機器を収納することが可能となる。
【００３０】
前記画面拡大手段が、前記表示画面を拡大するレンズと、当該レンズを支持するフレームとを備えるようにしても良い。レンズをより確実に支持可能とするためである。この場合、レンズとフレームとを樹脂により一体成形して形成する場合がある。これによれば、ケースを持ち歩いているときにレンズが脱落する危険性を防止することが出来る。
【００３１】
また、前記画面拡大手段は、前記表示画面を拡大するレンズと、当該レンズを支持するフレームとを備え、前記レンズは、上面および下面が共に凸面であり、かつ当該レンズが前記フレームの下面から下方へ突出しないように前記フレームに支持されていることがある。このような構造によれば、より大きな拡大率を確保し、かつフレーム下面にレンズが突出しないから収納時に画面拡大手段を基台部（電子機器）に近接させてコンパクトに電子機器を収納することが出来る。
【００３２】
また、上記レンズの周面の少なくとも一部を略垂直に起立する平面とすることがある。  このようにレンズの周面に略垂直に起立する平面を形成することで、当該平面からレンズ内に光を取り入れ、基台部上に置かれた電子機器の画面をより明るく見やすくすることが出来る。上記フレームによりレンズを支持する構造を採る場合には、当該略垂直に起立する平面がフレームの上面より上方に位置させるようにすることが望ましい。より光を取り入れやすくするためである。
【００３３】
本発明の携帯電子機器収納ケースでは、前記基台部と前記画面拡大手段とが略同一の平面形状を有するものとすることがある。電子機器を収納して持ち運ぶときに、当該電子機器を覆って保護しかつケース全体としてこれを把持しやすくするためである。
【００３４】
前記基台部の上面部には、少なくとも基台部上面に平行な方向への携帯電子機器の移動を規制する係止手段を設けることがある。当該電子機器の使用中あるいは携帯中に該電子機器を固定するためである。
【００３５】
かかる係止手段としては、例えば、携帯電子機器の四隅部をそれぞれ保持する４個のストッパ片を含むもの、あるいは携帯電子機器の対向する一対の側面をそれぞれ保持する２個のストッパ片を含むものとすることが出来る。
【００３６】
上記ストッパ片は、基台部に対し着脱自在に設けられ、かつ基台部上面において設置位置を変更可能に構成しても良く、このような構成によれば、大きさの異なる複数種類の携帯電子機器を基台部の上面に収容することが出来る。
【００３７】
より具体的には、ストッパ片は、その下面部に、前記基台部上面に対し該ストッパ片を設置可能とする支持脚を有し、前記基台部の上面には、該ストッパ片の支持脚を嵌挿可能な嵌合穴を設け、前記嵌合穴として、第一の携帯電子機器を係止できるよう該第一の携帯電子機器の外形寸法に対応した位置に形成された一群の嵌合穴と、前記第一の携帯電子機器と大きさの異なる第二の携帯電子機器を係止できるよう該第二の携帯電子機器の外形寸法に対応した位置に形成された一群の嵌合穴とを備えるものとすることが出来る。
【００３８】
さらに、前記第一の携帯電子機器の外形寸法に対応した位置に形成された一群の嵌合穴の内壁を、第一の色彩を有するものとし、前記第二の携帯電子機器の外形寸法に対応した位置に形成された一群の嵌合穴の内壁を、前記第一の色彩とは異なる第二の色彩を有するものとしも良く、前記ストッパ片として、前記第一の色彩が施された一群のストッパ片と、前記第二の色彩が施された一群のストッパ片とを備えるよう構成することも出来る。
【００３９】
このようなケース構造によれば、収納しようとする電子機器に対応したストッパ片と嵌合穴とを一見して判別することが可能となり、即座にストッパ片を対応する（同色の）嵌合穴に取り付け、電子機器を収納することが出来る。
【００４０】
また、前記基台部の上面に載置される前記携帯電子機器の横滑りを防止する樹脂製の滑り止めを前記基台部の上面に配しても良い。
【００４１】
さらに、前記基台部下面の左右方向に関する略中央部に、当該携帯電子機器収納ケースを立て掛けるスタンドと係合可能な凹部を形成しても良い。電子機器を収納して収納ケースごと適当なスタンドに立て掛けて画面を観賞することを可能とするためである。
【００４２】
前記基台部には、前記延長部材または前記中間部材を収納可能な収納部を設けても良い。前記延長部材または前記中間部材を収納して携帯性を向上させるためである。
【００４３】
さらに前記基台部に、前記携帯電子機器で使用される付属品を収納可能な収納部を設けても良い。付属品とは、具体的には、当該電子機器で使用可能なバッテリ（充電池や乾電池等）、ヘッドフォン、ゲームソフト等を格納した記憶媒体（カセット、ディスク等）等の物品をいう。電子機器（例えばゲーム機）は、高機能化、画面の大型・高輝度化等により、消費電力が年々増大しているが、上記収納部を設け、例えば予備のバッテリを格納可能とすれば、バッテリ切れに速やかに対応することが出来る。また、本収納ケースに電子機器とその周辺付属品を総てあるいは略総て収納して持ち運べるようにすることができ、その利便性を向上させることが出来る。
【００４４】
また前記基台部には、当該携帯電子機器から伝送される音声信号を入力可能なスピーカを設けることも可能である。
【００４５】
本発明に係る携帯電子機器収納ケースによれば、携帯電子機器を持ち運ぶときにこれを収納するとともに、該機器を使用するときにはそのまま当該ケースを利用して大きな画面を楽しむことが可能となる。
【００４６】
本発明の他の目的、特徴および利点は、図面に基づいて述べる以下の本発明の実施の形態の説明により明らかにする。尚、各図中、同一の符号は、同一又は相当部分を示す。
【図面の簡単な説明】
【００４７】
【図１】本発明の第一の実施形態に係る携帯電子機器収納ケースを示す斜視図（背面側から見た図）である。
【図２】前記第一実施形態に係る収納ケースを示す分解斜視図である。
【図３】前記第一実施形態に係る収納ケースを示す端面図である。
【図４】前記第一実施形態に係る収納ケース（開蓋状態）を示す底面図である。
【図５】前記第一実施形態に係る収納ケースを示す断面図（図２のＡ−Ａ矢視断面／ストッパ片およびゲーム機は省略している）である。
【図６】（ａ）から（ｄ）は、前記第一実施形態におけるレンズ部の構成例を示す図である。
【図７】前記第一実施形態に係る収納ケースの変形例を示す分解斜視図である。
【図８】前記第一実施形態の変形例に係る収納ケースの端面図である。
【図９】本発明の第二の実施形態に係る携帯電子機器収納ケース（ベース部）を示す斜視図である。
【図１０】前記第一ないし第二の実施形態に係る収納ケースのベース部の別の構成例を示す底面図である。
【図１１】前記第一ないし第二の実施形態に係る収納ケースのベース部のさらに別の構成例を示す底面図である。
【図１２】本発明の第三の実施形態に係る携帯電子機器収納ケースを示す分解斜視図である。
【図１３】前記第三実施形態の携帯電子機器収納ケース（収納部を開けた状態）を示す斜視図である。
【図１４】前記第三実施形態の携帯電子機器収納ケース（電子機器収納状態）を示す斜視図である。
【図１５】前記第三実施形態の携帯電子機器収納ケース（電子機器使用状態）を示す斜視図である。
【図１６】前記第三実施形態の携帯電子機器収納ケースで使用する中間部材の内部構造を示す断面図である。
【図１７】前記第三実施形態に係る携帯電子機器収納ケースの使用状態の一例を示す斜視図である。
【図１８】前記第三実施形態に係る携帯電子機器収納ケースに使用可能なスタンドの一例を示す側面図である。
【図１９】前記第三実施形態に係る携帯電子機器収納ケースの変形例を示す正面図である。
【図２０】前記図１９の変形例に係る収納ケースを示す底面図である。
【図２１】前記第三実施形態に係る携帯電子機器収納ケースのさらに別の変形例を示す背面図である。
【図２２】前記図２１の変形例に係る収納ケースを示す側面図である。
【図２３】前記第三実施形態に係る携帯電子機器収納ケースのさらに別の変形例を示す分解斜視図である。
【図２４】前記第三実施形態に係る携帯電子機器収納ケースにおけるレンズ板の別の構成例を示す正面図である。
【発明を実施するための最良の形態】
【００４８】
〔第１実施形態〕
図１から図８は、本発明の第一の実施の形態に係る携帯電子機器収納ケースを示すものである。これらの図に示すように、この携帯電子機器収納ケース１１は、携帯ゲーム機１を収納するのに適するよう構成したもので、ゲーム機１を載せるベース部１２と、該ベース部１２の上方に所定の間隔を隔てて略水平に支持したレンズ部２１と、レンズ部２１を支持する支柱部３１とを備えている。尚、本発明の収納ケースは、必ずしもゲーム機用のものに限定されず、表示画面を備えた他の電子機器にも適用することが可能であることは、既に述べたとおりである。【００４９】
ベース部１２は、直方体の全体形状を呈し、ゲーム機１を載せることが可能な平面略長方形の平坦な上面１３を有する。ベース部１２の上面１３には、ゲーム機１の四隅を保持し、ベース部１２にゲーム機１を係止する４個のストッパ片１４ａ，１４ｂ，１４ｃ，１４ｄを設けてある。ストッパ片１４ａ〜１４ｄは、ゲーム機１の隅角部を支えることが出来るように略Ｌ字状の平面形状を持ち、ゲーム機１に当接する内側面に弾性材料（例えばウレタン等の弾性樹脂材料）からなるクッション部Ｓを備えるとともに、底面に円柱状の脚ｔを備えている。【００５０】
一方、ベース部１２の上面１３には、ストッパ片１４ａ〜１４ｄの脚ｔを受け入れる嵌合穴１５，１６を設けてあり、脚ｔを該嵌合穴１５，１６に差し込むことにより、ストッパ片１４ａ〜１４ｄをベース部１２の上面１３に装着することが出来る。嵌合穴としてこの実施形態では、第一の外形サイズを有するゲーム機１を収納するための一組（４つ）の嵌合穴１５と、該ゲーム機１より小さな外形サイズを有するゲーム機（図示せず）を収納可能とするもう一組（４つ）の嵌合穴１６と設けてある。【００５１】
したがって使用者は、各ストッパ片１４ａ〜１４ｄを第一の組の嵌合穴１５から第二の組の嵌合穴１６に付け替えることにより、他機種のゲーム機を収納することが出来る。尚、この例では、２種類の大きさの電子機器を収納できるようにしたが、さらに多数組の嵌合穴を設けることにより、３種類以上の機器を収納できるようにすることも可能である。【００５２】
また嵌合穴１５，１６には、上記第一の組を構成する嵌合穴１５と、第二の組を構成する嵌合穴１６とで、それらの内壁に異なる色を施してある。すなわち、第一の組に属する嵌合穴１５の内壁は、例えば赤色とし、第二の組に属する嵌合穴１６の内壁は、例えば黄色に着色しておく（これらの色は、なに色でも良い）。【００５３】
また、嵌合穴１５，１６の色に合わせてストッパ片１４ａ〜１４ｄに色彩を施しておいても良い。例えば、上記例では、第一のゲーム機１を係止するストッパ片として嵌合穴１５の色に合わせた赤色のものと、第二のゲーム機を係止するストッパ片として嵌合穴１６に合わせた黄色のものとをそれぞれ用意する。このような着色を施すことにより、デザイン性を高めることが出来るとともに、種々のゲーム機を収容するときに、各ゲーム機を係止する嵌合穴とストッパ片をひと目で判別可能とすることが出来る。【００５４】
ベース部１２には、底面側に複数（この例の場合３つ）の収納部１８（１８ａ，１８ｂ，１８ｃ）を設けてあり、この中にゲーム機用の予備バッテリ４（充電池／例えばリチウムイオンバッテリ）と、後に述べる延長部材４１を収納することが可能である。具体的には、図４に示すようにベース部１２の底に３個の窪みを設けて収納部１８ａ，１８ｂ，１８ｃを形成し、バッテリ４および延長部材４１を収納可能としてある。【００５５】
また、ベース部１２の底には、収納部１８ａ，１８ｂ，１８ｃを塞ぐ底蓋１７を設けてあり、底蓋１７はベース部１２の左右方向（図４紙面の縦方向）にスライドさせることにより開閉することが可能である。収納部１８の大きさ、形状および数（２つ以下でも４つ以上設けても良い）は、特に限定されないが、収納すべき付属品（例えばバッテリ、延長部材）が隙間なく納まる大きさとすれば、持ち運ぶときにベース部１２の中で収納した付属品が動いて不快音を立てる（カタカタ鳴る）ことを防ぐことが出来る。【００５６】
尚、収納部１８は、バッテリのほかにも、ヘッドフォンや接続コード、ＡＣアダプタ，充電アダプタ，ゲームソフト等を格納した記憶媒体（カセット、ディスク等）など様々な周辺物品を収納するようにすることが可能である。また、収納部１８の構造やその開閉を行う蓋の形状、開閉機構等は、この例のほかにも様々な構造とすることが出来る。例えば、上記実施形態では蓋をベース部１２の底面に設けたが、ベース部１２の周面（例えば前面、背面または側面）に設けるようにしても良い。また、スライドして開閉する蓋でなく、回動動作により開閉する蓋（扉）としたり、あるいはベース部から引き出すことが出来る引出しを設けてその中に上記付属品を収納できるようにしても構わない。【００５７】
さらに、図１０に示すようにベース部１２には、ゲーム機１から出力される音声信号を入力可能なスピーカ４５を設けることもでき、スピーカ４５の前段にアンプを設けて音声信号を増幅し、より大迫力の音声によってゲームや音楽、映画など各種のコンテンツを楽しめるようにすることも可能である。【００５８】
また、図１１に示すようにベース部１２の例えば底面に太陽電池パネル５５を設け、該太陽電池から収納した電子機器に接続コードを通じて電力を供給するようにすることも可能である。この場合、太陽電池によって作り出された電力を直接電子機器に供給するのではなく、当該電子機器用の充電池に供給して該充電池を充電するようにしても良い。【００５９】
支柱部３１は、ベース部１２の背面１２ａに固定しベース部１２の底面の高さレベルから略垂直に上方に立ち上がる鞘部３２と、鞘部３２に嵌合し上下動可能に挿入される摺動脚部３３とからなる。鞘部３２は、その幅寸法Ｗ1を、ベース部１２の幅Ｗより狭くかつゲーム機１の画面２の幅寸法と同程度の幅寸法とし、ベース部１２の背面１２ａでかつベース部１２の幅方向の略中央位置に固定してある。これにより次のような利点が得られる（後述の他の実施形態においても同様）。【００６０】
携帯ゲーム機１は、両手で持って操作できるよう筐体の左右に操作ボタン３が設けられることが多いが、本実施形態のように支柱部３１をベース部１２の（したがってゲーム機１の）背面側の中央部に設ければ、ゲーム機１の操作性を低下させることなく（ボタン操作３を邪魔することなく）、画面２を拡大することが可能となる。【００６１】
さらに、本発明ではベース部１２（基台部）の上面から立ち上げるように支柱部３１（支持手段）を設けることも可能であるが（このような構成も本発明の範囲内である）、支柱部３１をベース部１２の背面１２ａに固定すれば、収納ケース１１全体の厚さ（高さ）Ｈを小さく抑えつつ摺動脚部３３の上下動ストロークをより長くとって画面２の拡大率を大きくすることが可能となる。【００６２】
また、摺動脚部３３の左右両側面には、上下方向に亘って配列させた複数の突起３４を設けてある。これらの突起３４は、弾性を有し摺動脚部３３を鞘部３２に挿入したときに鞘部３２の内壁に当接して潰れ、摺動脚部３３を所望の位置でしっかりと鞘部３２に係止することを可能とするものである。したがって、ゲーム中にレンズ部２１が下方にずり落ちてきたり、持ち運び中に不用意に摺動脚部３３が飛び出すようなアクシデントを防ぐことが出来る。【００６３】
摺動脚部３３の上端面には、略水平にレンズ部２１を固定してある。このレンズ部２１は、摺動脚部３３と略直交してベース部１２の上面１３と略平行となるように摺動脚部３３に固定した透光性を有する樹脂板（例えばアクリル板）２３と、樹脂板２３の下面に貼着した板状の樹脂レンズ２２とからなる。レンズ２２を樹脂板２３の下面に設けることで、レンズ２２に傷が付くことを防止することが出来る。尚、本実施形態では、前記ベース部１２および支柱部３１についても、透光性を有する樹脂板（例えばアクリル板）により形成することが可能である。【００６４】
樹脂板２３の表面には、反射防止膜を設けても良い。このような構成によれば、屋外や天井から照明される室内などにおいて、太陽光や照明光が樹脂板２３の表面で反射されて画面が見難くなるようなことを防ぐことが出来る。かかる反射防止膜の形成は、例えば蒸着や塗布、フィルムの貼着などの方法で行うことが出来る。【００６５】
支柱部３１を最も縮めたときのレンズ部２１の支持高さ（ベース部上面１３からの鞘部３２の突出高）は、摺動脚部３３を鞘部３２に収容して支柱部３１を最も縮めたときに、レンズ２２とベース部１２との間にゲーム機１をほぼちょうど収容できる高さ寸法とする。これにより、収納ケース１１を薄くして携帯性を良好にすることが出来る。【００６６】
図６はレンズ部２１の構成例を示すものである。同図（ａ）は、上記実施形態のレンズ部を示すもので、樹脂板２３の下面にレンズ２２を配してある。このレンズ部は、同図（ｂ）に示すように樹脂板２３の上面にレンズ２２を配した構造としたり、拡大率を上げるため、同図（ｃ）に示すように樹脂板２３の両面にそれぞれレンズ２２を配したり、あるいは同図（ｄ）に示すように複数枚の樹脂板２３と複数枚のレンズ２２を多層に重ねて配することも可能である。【００６７】
さらに上記実施形態では、画面の拡大倍率をさらに高めるため、レンズ２２の支持高さをさらに高くする延長部材を支柱部３１に使用することが可能である。すなわち、図７および図８に示すようにこの延長部材４１は、上面から摺動脚部３３を上下動可能に収容することが可能で、鞘部３２と略同様の構造を有しているが、下面部に鞘部３２の上面開口３２ａに嵌合させることが可能な差込脚部４１ｂを備えている。そして、この差込脚部４１ｂを鞘部３２に挿入して該鞘部３２の上に立ち上がるように取り付けるとともに、上面開口４１ａから摺動脚部３３を差し込むことにより、レンズ２２の支持高さをさらに高くすることが出来る。また、かかる延長部材４１を２個以上上方に繋げることにより、さらにレンズを高く支持して拡大率を増大させることも可能である。【００６８】
本実施形態の収納ケース１１は、携帯時には、ゲーム機１をベース部１２上に収納するとともに支柱部３１を縮めてケース厚Ｈを小さくして持ち運ぶことが出来る。一方、ゲームをするときには、摺動脚部３３を引き出すことによりレンズ２２を持ち上げ、該レンズ２２により拡大された画面２を見ながらプレイをすることが出来る。画面２の拡大量は、レンズ２２の支持高さを変えることにより調節することが可能である。また、ゲーム機１の前面側および左右両側面側にレンズ２２を支える支柱などがなく開放されているから、ボタン３の操作性も良好である。さらに、収納ケース１１をそのまま画面拡大装置として使用することが出来るから、ゲーム機の使用中にケースが邪魔になることもない。また、複数機種、複数種類の電子機器に対してひとつのケースで収納および画面拡大を行うことが可能である。さらに、ゲーム機に使用可能な予備のバッテリを収納することが出来るから、バッテリ切れにも即座に対応することができ利便性が高い。【００６９】
〔第２実施形態〕
図９は、本発明の第二の実施の形態に係る携帯電子機器収納ケース（ベース部）を示すものである。同図に示すようにこの実施形態は、ゲーム機（電子機器）をベース部上に係止するストッパ片として、ゲーム機の前面と背面に当接してゲーム機を前後から挟むように挟持するストッパ片４４ａ，４４ｂを備えたもので、他の構成は前記第一実施形態と同様である。【００７０】
本実施形態においてベース部１２の前縁部に配したストッパ片４４ｂは、ベース部１２の上面１３から略垂直に立ち上がるように設置してある。一方、ベース部後縁部のストッパ片４４ａは、同じくベース部１２の上面１３から略垂直に立ち上がるように設けてあるが、支柱部（鞘部３２）の前面に貼着してあり、ゲーム機を良好に保持できるよう弾性材料（例えばウレタン等の弾性樹脂材料）により形成してある。尚、ベース部前縁のストッパ片４４ｂについても、後縁のストッパ片４４ａと同様に弾性材料により形成しても良い。【００７１】
さらに、上記ストッパ片４４ａ，４４ｂは、前記第一の実施形態と同様に、ベース部１２に対して着脱可能とし、その設置位置を変更できるように構成すること（例えばベース部前縁のストッパ片４４ｂを後方へずらすことが出来るようにして両ストッパ片４４ａ，４４ｂの間隔を変更可能とするなど）も可能である。このような構成によれば、奥行きの異なる複数種類の機器をベース部１２上に係止して本ケースに収納することが可能となる。【００７２】
〔第３実施形態〕
図１２から図１５は、本発明の第三の実施の形態に係る携帯電子機器収納ケースを示すものである。これらの図に示すようにこの携帯電子機器収納ケース１０１は、携帯ゲーム機１を収納するのに適するよう構成したもので、ゲーム機１を載せるベース部１１２と、ベース部１１２の上方に間隔を隔てて略水平に支持されるレンズ板１２０と、ベース部１１２の背面に立設した支柱部１３２と、支柱部１３２とレンズ板１２０との間に接続してレンズ板１２０の支持高さを大きくする中間部材１４１とを備えている。【００７３】
ベース部１１２は、収納するゲーム機１の外形形状に合わせて左右両端部を円弧形状とした平面略長方形の全体形状を呈し（レンズ板１２０も同様の平面形状とした）、上面に載せたゲーム機１を挟持できるように当該ベース部１１２の前縁部に当該ベース部１１２の上面１１３から略垂直に立ち上がるようにストッパ板１１５を設けている。ゲーム機１は、このストッパ板１１５と支柱部１３２との間に挟持されることにより係止されるが、当該ゲーム機１の横ずれを防いで当該ゲーム機１をより確実に固定するため、ストッパ板１１５と支柱部１３２の各内側面には、ゲーム機１の周面（前面及び後面）に形成された凹部または穴部に嵌入する係止突起１１６，１３４を設けてある。尚、上記のようにベース部１１２の左右両端部を円弧形状とすることで、ゲーム中における当該ケース（ベース部）及びゲーム機のホールド性（両手で把持しやすくなる）を向上させることが出来る。【００７４】
さらにベース部１１２の上面には、例えばゲーム中に当該ゲーム機１の横ずれを防ぐ滑り止め１１４又は１１４ａを設けても良い。この滑り止め１１４，１１４ａは、例えばゴムやその他の樹脂により形成することが出来る。形状および配設位置は様々なものであって良く特に問わない。また、ストッパ板１１５や支柱部１３２の内側面にも同様の滑り止めを設けても良い。【００７５】
支柱部１３２は、ベース部１１２の背面に固定しベース部１１２の底面の高さレベルから略垂直に上方に立ち上がる鞘部からなり、この鞘部１３２の上面部には中間部材１４１の下端部に設けた脚部１４２を差し込んで係止することが可能である。また鞘部１３２の中央部には切欠部１３５を設け、中間部材１４１を装着しても孔が形成されるようにしてある。ゲーム機１には赤外線や電気信号などの各種のデータ伝送媒体の入出力を可能とするポート（例えば赤外線ポートやＵＳＢポート）が設けられることが多いが、この切欠部１３５（孔）は当該ポートを使用可能とする（例えばＵＳＢポートに差し込むケーブルを通すことを可能とする）ものである。また、例えば赤外線ポート等を使用可能とするため、他にも切欠部や孔を適宜設けて良い。【００７６】
中間部材１４１は、図１６にも示すように下端部に一定の間隔を隔てて下方に延びる２本の脚部１４２を備える一方、上端部にはレンズ板１２０の脚部１２３（後述する）を差し込むことが可能な開口部１４６を有する。開口部１４６の内部には、Ｕ字状の係止アーム１４４を設けてあり、この係止アーム１４４の両先端部外側面には突起１４５を形成してある。これらの突起１４５は、レンズ板１２０の脚部１２３に設けた凹部１２４に嵌合して当該脚部１２３（レンズ板１２０）を中間部材１４１に係止可能とするものである。一方、中間部材１４１の２本の脚部１４２の内側面にはそれぞれ、互いに対向するようにレンズ板１２０の脚部１２３に設けた凹部１２４と同様の凹部１４３を設けてある。【００７７】
また前記支柱部１３２の内部にも、上記中間部材１４１の開口部１４６内に設けた係止アーム１４４と同様の機構（係止アーム）を設けて良く、中間部材１４１の脚部１４２を挿入したときに当該係止アームの突起に中間部材脚部１４２の凹部１４３が係止されるようにすることが出来る。さらに後に述べるレンズ板１２０は、上記中間部材１４１の脚部１４２と同様の脚部１２３を有しており、これらの脚部１２３を中間部材１４１の開口部１４６に挿入することにより脚部１２３の凹部１２４が開口部１４６内の係止アーム１４４の先端の突起１４５に係合してレンズ板１２０が中間部材１４１に係止される。【００７８】
このように支柱部１３２（鞘部）と中間部材１４１との間の係合構造と、中間部材１４１とレンズ板１２０との間の係合構造とを同様の構造としてあるから、図１４に示すようにレンズ板１２０の脚部１２３を支柱部１３２（鞘部）に差し込んでケース全体を薄くしてゲーム機１を持ち歩くことが出来る一方、図１５に示すように支柱部１３２（鞘部）に中間部材１４１を差し込み、さらにこの中間部材１４１にレンズ板１２０の脚部１２３を差し込むことによりゲーム機１の画面の上方に距離を隔ててレンズ板１２０を支持して画面２を大きく拡大して見ることが可能となる。尚、ベース部１１２は、図１３に示すように引出し状の収納部１１７を備えており、ゲーム機１を使用しないときにはこの収納部１１７に中間部材１４１を収納しておくことが可能である。【００７９】
尚、上記支柱部１３２や中間部材１４１の背面には、例えば商標や商品名、社名、メッセージなどを表す文字や記号、図形、マーク、画像などの広告記載を配しても良い。【００８０】
レンズ板１２０は、この実施形態では、樹脂レンズ１２１と、この樹脂レンズ１２１の周囲を支持するフレーム１２２とからなり、樹脂レンズ１２１は、凸状の上面と平坦な下面を持ち、略長方形の平面形状を有する。樹脂レンズ１２１の４つの周面は、略垂直に切り立つ側面１２１ａとしてあり、これら側面１２１ａの下端部を利用して当該樹脂レンズ１２１をフレーム１２２内に支持するとともに上部をフレーム１２２の上面よりさらに上方に突出させてこれにより当該側面１２１ａからレンズ１２１内に光を取り入れることが出来るようにしてある。また、樹脂レンズ１２１の下面は、フレーム１２２の下面から下方に突出しないようにフレーム１２２の下面と略面一としてある。ゲーム機１の使用時には出来るだけ画面２を大きく拡大する一方、ゲーム機携帯時にはレンズ板１２０をゲーム機１に近接させてケース全体を出来るだけ薄くできるようにするためである。【００８１】
尚、レンズによる拡大率をさらに高めるため、図２４に示すようにレンズ２２１の下面を凸面２２１ａとすることも可能である。この場合、レンズ２２１が収納時にゲーム機１に当接することを防ぐため、レンズ２２１の下面２２１ａがフレーム１２２の下面１２２ａから突出しないようにレンズ２２１をフレーム１２２に固定することが望ましい。【００８２】
フレーム１２２は、後部側に略垂直に下方に立ち下がる２本の脚部１２３を有する。これら２本の脚部１２３は、前記中間部材１４１が備える脚部１４２と同様の構造を有するもので、前記支柱部１３２（鞘部）または中間部材１４１の開口部１４６に挿入して当該レンズ板１２０を支柱部１３２（鞘部）または中間部材１４１に支持可能とするものである。尚、フレーム１２２とレンズ１２１とを一体成形により構成しても良い。またフレームは透光性（例えば透明または半透明）を有する樹脂により形成することができ、このようなフレーム構造によれば、当該ケースのデザイン性を高めることが出来る。【００８３】
図１７は、上記第三実施形態に係る携帯電子機器収納ケース１０１の使用状態の一例を示すものであり、図１８はこの使用例に係るスタンド２０１を示す側面図である。これらの図に示すように本実施形態の収納ケース１０１は、当該ケース１０１と別に構成したスタンド２０１に載せかつ立て掛けることにより、画面２を拡大して観賞することが可能である。このスタンド２０１は、図１８から明らかなように、収納ケース１０１を載せて斜めに立て掛けることが出来る略Ｖ字状の中間部２０２と、この中間部２０２の前後に斜めに外方に張り出し中間部２０２を支持する脚部２０３，２０４とを有して、側面略Ｍ字状の全体形状を有する。ケース１０１を支持するには、図１７に示すように中間部２０２に立て掛けるようにケース１０１を載せれば良い。【００８４】
さらに、図１９及び図２０は、このようなスタンド２０１を使用するのに好適な上記第三実施形態の変形例を示すものである。これらの図に示すようにベース部１１２の底面に上記スタンド２０１が嵌まるような凹部１１８を形成すれば、ケース１０１の横ずれを防いでより安定してスタンド２０１にケース１０１を保持させることが可能となる。【００８５】
図２１及び図２２はそれぞれ、上記第三実施形態に係る携帯電子機器収納ケースのさらに別の変形例を示す背面図と側面図である。これらの図に示すように支柱部１３２の背面にゲーム機で使用可能な記憶媒体（例えばメモリカード等）１３８を収納可能な収納部１３７を設けても良い。【００８６】
さらに図２３は、上記第三実施形態に係る携帯電子機器収納ケースのさらに別の変形例を示す分解斜視図であるが、この図に示すようにベース部１１２およびレンズ板１２０を略長方形の平面形状を有するものとしても良いし、他の形状とすることも可能である。ただし、ベース部１１２（基台部）とレンズ板１２０（画面拡大手段）とを略同一の平面形状とすることが、ケースを抱えて持ちやすくする点から好ましい。尚、この図２３に示した例では、前記第二実施形態と同様に、支柱部１３２の前面に貼着した弾性材料からなるストッパ片４４ａを設けている。上記図１２等に示した例でも同様の弾性材料からなるストッパ片によりゲーム機１を挟持できるようにしても良い。【００８７】
以上、本発明の実施の形態について説明したが、本発明はこれらに限定されるものではなく、特許請求の範囲に記載の範囲内で種々の変更を行うことができることは当業者に明らかである。【００８８】
例えば、ケース各部（ベース部、支柱部およびレンズ部）の形状、寸法および配置位置等は、図面に基づいて説明した上記実施形態のほかにも様々に変更することが可能である。また、第一の実施形態では、支柱部を一つの鞘部と一つの摺動脚部とにより構成したが、鞘部と摺動脚部を入れ子状に多段に設けてアンテナのように多段に伸びる支柱部を形成することも可能である。さらに支柱部を２個以上（例えば背面側だけでなく前面側にも）設けることも出来る。また上記実施形態では、基台部側に鞘部を、レンズ側に鞘部に挿入される脚部を設けたが、これとは逆に、レンズ側に鞘部を、基台部側に鞘部に嵌挿される脚部を備えるようにしても良い。また、上記各実施形態に開示した各部構成を適宜組み合わせて上記第一から第三実施形態以外のケースを構成することも可能である。
【符号の説明】
【００８９】
１…携帯ゲーム機
２…画面（液晶ディスプレイ）
３…ゲーム機の操作ボタン
４…予備バッテリ
１１，１０１…携帯電子機器収納ケース
１２，１１２…ベース部
１４ａ，１４ｂ，１４ｃ，１４ｄ，４４ａ，４４ｂ…ストッパ片
１５，１６…嵌合穴
１７…底蓋
１８，１８ａ，１８ｂ，１８ｃ…収納部
２１…レンズ部
２２…板状樹脂レンズ
２３…樹脂板（アクリル板）
３１，３２，１３２…鞘部（支柱部）
３３…摺動脚部
３４…突起
４１…延長部材
４５…スピーカ
５５…太陽電池
１１４，１１４ａ…滑り止め
１１５…ストッパ板
１１６，１３４…係止突起
１１７…引出状収納部
１２０…レンズ板
１２１…レンズ
１２１ａ…レンズ側面
１２３，１４２…脚部
１２４，１４３…凹部
１３５…切欠部
１３７…記憶媒体収納部
１４１…中間部材
１４４…係止アーム
１４５…突起
１４６…開口部
２０１…スタンド
【図１】
2006030554.tif 000002
【図２】
2006030554.tif 000003
【図３】
2006030554.tif 000004
【図４】
2006030554.tif 000005
【図５】
2006030554.tif 000006
【図６】
2006030554.tif 000007
【図７】
2006030554.tif 000008
【図８】
2006030554.tif 000009
【図９】
2006030554.tif 000010
【図１０】
2006030554.tif 000011
【図１１】
2006030554.tif 000012
【図１２】
2006030554.tif 000013
【図１３】
2006030554.tif 000014
【図１４】
2006030554.tif 000015
【図１５】
2006030554.tif 000016
【図１６】
2006030554.tif 000017
【図１７】
2006030554.tif 000018
【図１８】
2006030554.tif 000019
【図１９】
2006030554.tif 000020
【図２０】
2006030554.tif 000021
【図２１】
2006030554.tif 000022
【図２２】
2006030554.tif 000023
【図２３】
2006030554.tif 000024
【図２４】
2006030554.tif 000025
【国際調査報告】
2006030554.tif 000026
2006030554.tif 000027
2006030554.tif 000028
2006030554.tif 000029